(57)【特許請求の範囲】
【請求項１】
広告画像をアップロードする第１端末と、前記アップロードされた広告画像を再生する第２端末と、前記アップロードされた広告画像を管理し、前記第２端末に配信する管理サーバと、を備えるコンテンツ配信システムであって、
前記管理サーバは、
前記広告画像のアップロードを受け付けるアップロード処理部と、
前記広告画像を送信する条件を設定するダウンロード処理部と、
前記広告画像を前記第２端末に送信する配信部と、
前記ログ情報を分析するログ処理部と、を備え、
前記ダウンロード処理部は、
前記広告画像のグループである編成に含まれる複数の前記広告画像の指定及び当該編成に含まれる広告画像の再生順序の指定を受け付け、前記受け付けた指定を編成情報に記録し、
前記編成に含まれる広告画像を前記第２端末に送信するスケジュールの設定を受け付け、前記受け付けたスケジュールをスケジュール情報に記録し、
前記配信部は、
前記スケジュール情報に従って、前記広告画像を前記第２端末に送信し、
前記広告画像を前記第２端末に送信した履歴をログ情報に記録し、
前記ログ処理部は、
前記編成情報を参照して、前記一つの編成に含まれる広告画像を特定し、
前記ログ情報、及び、前記スケジュール情報を参照して、前記特定された広告画像が所定の時間内に再生されたか否かを判定し、
前記特定された広告画像が所定の時間内に再生された回数に基づいて、前記広告画像間の関係性を定めることを特徴とするコンテンツ配信システム。
【請求項２】
前記管理サーバは、前記ログ情報を分析して、広告料の情報を生成する課金処理部を、さらに備え、
前記課金処理部は、
前記ログ情報を参照して、前記各広告画像が送信された回数を集計し、
前記集計された送信回数に単価を乗じることによって広告料の情報を生成することを特徴とする請求項１に記載のコンテンツ配信システム。
【請求項３】
前記管理サーバは、前記ログ情報を分析して、広告料の情報を生成する課金処理部を、さらに備え、
前記課金処理部は、前記ログ情報を参照して、前記各広告画像が送信された回数を当該広告画像の送信宛先毎に集計することによって宛先毎の広告料の情報を生成することを特徴とする請求項１に記載のコンテンツ配信システム。
【請求項４】
管理する広告画像を配信するコンテンツ管理サーバであって、
広告画像をアップロードする第１端末と、前記アップロードされた広告画像を再生する第２端末とに接続され、
前記広告画像のアップロードを受け付けるアップロード処理部と、
前記広告画像を送信する条件を設定するダウンロード処理部と、
前記広告画像を前記第２端末に送信する配信部と、
前記ログ情報を分析するログ処理部と、を備え、
前記ダウンロード処理部は、
前記広告画像のグループである編成に含まれる複数の前記広告画像の指定及び当該編成に含まれる広告画像の再生順序の指定を受け付け、前記受け付けた指定を編成情報に記録し、
前記編成に含まれる広告画像を前記第２端末に送信するスケジュールの設定を受け付け、前記受け付けたスケジュールをスケジュール情報に記録し、
前記配信部は、
前記スケジュール情報に従って、前記広告画像を前記第２端末に送信し、
前記広告画像を前記第２端末に送信した履歴をログ情報に記録し、
前記ログ処理部は、
前記編成情報を参照して、前記一つの編成に含まれる広告画像を特定し、
前記ログ情報、及び、前記スケジュール情報を参照して、前記特定された広告画像が所定の時間内に再生されたか否かを判定し、
前記特定された広告画像が所定の時間内に再生された回数に基づいて、前記広告画像間の関係性を定めることを特徴とするコンテンツ管理サーバ。
【請求項５】
前記ログ情報を分析して、広告料の情報を生成する課金処理部を、さらに備え、
前記課金処理部は、
前記ログ情報を参照して、前記各広告画像が送信された回数を集計し、
前記集計された送信回数に単価を乗じることによって広告料の情報を生成することを特徴とする請求項４に記載のコンテンツ管理サーバ。
【請求項６】
前記ログ情報を分析して、広告料の情報を生成する課金処理部を、さらに備え、
前記課金処理部は、前記ログ情報を参照して、前記各広告画像が送信された回数を当該広告画像の送信宛先毎に集計することによって宛先毎の広告料の情報を生成することを特徴とする請求項４に記載のコンテンツ管理サーバ。
【発明の詳細な説明】
【技術分野】
【０００１】
本発明は、コンテンツ配信システムに関し、特に、デジタルサイネージ端末の設置者が選択した動画コンテンツを該端末に配信する技術に関する。
【背景技術】
【０００２】
印刷物によるポスター等の掲示物や人手を介した商業広告及び公共機関の公告を行うアナログ媒体をデジタル化し、デジタル化されたコンテンツを配信し、ユーザの端末の画面に映像、文字等を表示し、音声を再生するデジタルサイネージシステムが実用化されている。デジタルサイネージ用の表示装置は、スーパーマーケット等の店舗内、駅、空港、ホテル等の人が集まる場所に設置され、その場にいる人に対してターゲットを絞った画像（広告、公共情報等）を再生している。
【先行技術文献】
【特許文献】
【０００３】
【特許文献１】特開２００８−３０６４０７号公報
【特許文献２】特開２００９−２１７３０９号公報
【特許文献３】特開２００９−２０６８４１号公報
【発明の概要】
【発明が解決しようとする課題】
【０００４】
前述したデジタルサイネージシステムにおいては、広告主又は広告代理店が広告の配信先や配信のスケジュールを決め、デジタルサイネージ端末で画像（広告）が再生されていた。（例えば、特許文献２参照）。この場合、デジタルサイネージ端末の設置者の意図に合致しない広告が提供されることもあり、デジタルサイネージ端末の設置が進まない原因となっている。また、デジタルサイネージ端末の設置者にとっての広告効果は限定的なものとなっていた。さらに、広告効果は単体の広告に対するものに限られていた。
【０００５】
特に、スーパーマーケットが店舗内にデジタルサイネージ端末を設置する場合、店舗等で販売される商品と関連付けた広告を提供することによって、高い広告効果を得たいという要望がある。しかし、現在のデジタルサイネージシステムでは、このような販売商品とリンクした広告を配信して、相乗効果を得ることができなかった。
【０００６】
また、動画像を編集し、編集された動画像を配信するシステムとして、特許文献１及び特許文献３に記載されたシステムが提案されている。
【０００７】
また、このようなデジタルサイネージ端末の設置者が再生する広告を自由に選択できるようにした場合、広告の選択によって広告の効果が異なってくる。このため、広告の選択に参考となる情報の提供が求められる。
【０００８】
本発明の目的は、デジタルサイネージシステムにおいて、広告主と広告の配信を受ける店舗とを結合し、効率良く広告を提供できるシステムを提供する。
【課題を解決するための手段】
【０００９】
本発明の代表的な一例を示せば以下の通りである。すなわち、広告画像をアップロードする第１端末と、前記アップロードされた広告画像を再生する第２端末と、前記アップロードされた広告画像を管理し、前記第２端末に配信する管理サーバと、前記ログ情報を分析するログ処理部と、を備えるコンテンツ配信システムであって、前記管理サーバは、前記広告画像のアップロードを受け付けるアップロード処理部と、前記広告画像の送信を制御するダウンロード処理部と、前記広告画像を前記第２端末に送信する配信部とを備え、前記ダウンロード処理部は、前記広告画像のグループである編成に含まれる複数の前記広告画像の指定及び当該編成に含まれる広告画像の再生順序の指定を受け付け、前記受け付けた指定を編成情報に記録し、前記編成に含まれる広告画像を前記第２端末に送信するスケジュールの設定を受け付け、前記受け付けたスケジュールをスケジュール情報に記録し、前記配信部は、前記スケジュール情報に従って、前記広告画像を前記第２端末に送信し、前記広告画像を前記第２端末に送信した履歴をログ情報に記録し、前記ログ処理部は、前記編成情報を参照して、前記一つの編成に含まれる広告画像を特定し、前記ログ情報、及び、前記スケジュール情報を参照して、前記特定された広告画像が所定の時間内に再生されたか否かを判定し、前記特定された広告画像が所定の時間内に再生された回数に基づいて、前記広告画像間の関係性を定める。
【発明の効果】
【００１０】
本発明の実施の形態によると、広告主が提供した広告を店舗側で選択し、編成し、配信スケジュールを決定し、このスケジュールに従って広告が配信される。これによって、店舗で取り扱う商品や顧客に適する広告を再生することができる。
【図面の簡単な説明】
【００１１】
【図１】本発明の実施の形態のコンテンツ配信システムの構成を示すブロック図である。
【図２】本発明の実施の形態のアップロード処理部１１０の構成を示すブロック図である。
【図３】本発明の実施の形態のアップロード処理部１１０によって実行される処理のフローチャートである。
【図４】本発明の実施の形態の広告主情報ＤＢ１６１の構成の一例を説明する図である。
【図５】本発明の実施の形態の広告画像登録画面の構成の一例を説明する図である。
【図６】本発明の実施の形態の広告画像登録確認画面の構成の一例を説明する図である。
【図７】本発明の実施の形態の画像ＤＢ１６３の構成の一例を説明する図である。
【図８】本発明の実施の形態のダウンロード処理部１２０の構成を示すブロック図である。
【図９】本発明の実施の形態のダウンロード処理部１２０によって実行される処理のフローチャートである。
【図１０】本発明の実施の形態の店舗情報ＤＢ１６４の構成の一例を説明する図である。
【図１１】本発明の実施の形態の広告検索／編成画面の構成の一例を説明する図である。
【図１２】本発明の実施の形態の編成ＤＢ１６５の構成の一例を説明する図である。
【図１３】本発明の実施の形態の広告配信スケジュール画面の構成の一例を説明する図である。
【図１４】本発明の実施の形態の配信スケジュールＤＢ１６６の構成の一例を説明する図である。
【図１５】本発明の実施の形態の画像配信部１３０によって実行される処理のフローチャートである。
【図１６】本発明の実施の形態のログＤＢ１６２の構成の一例を説明する図である。
【図１７】本発明の実施の形態の課金ＤＢ１６７の構成の一例を説明する図である。
【図１８】本発明の実施の形態の課金ＤＢ１６７の他の例を説明する図である。
【発明を実施するための形態】
【００１２】
図１は、本発明の実施の形態のコンテンツ配信システムの構成を示すブロック図である。
【００１３】
本実施の形態のコンテンツ配信システムは、コンテンツ管理サーバ１００、アップロード端末２００及び表示端末３００を備える。コンテンツ管理サーバ１００、アップロード端末２００及び表示端末３００はネットワーク４００によって接続されている。
【００１４】
コンテンツ管理サーバ１００は、このコンテンツ配信システムを運営する事業者が設置する計算機であり、サイネージのポータルサイトを提供する。アップロード端末２００は、このシステムに広告を配信する広告主が設置する計算機である。表示端末３００は、このシステムによって広告を需要者に提供する企業（店舗、街頭、駅、空港、ホテル）が設置し、広告が再生される端末である。
【００１５】
コンテンツ管理サーバ１００は、プロセッサ、メモリ、補助記憶装置、通信インターフェース及び入出力インターフェースを備える計算機で、広告主側の処理をするアップロード処理部１１０、店舗側の処理をするダウンロード処理部１２０、画像配信部１３０、ログ処理部１４０及び課金処理部１５０を備える。
【００１６】
プロセッサは、メモリに格納されたプログラムを実行し、前述した各処理部の機能を実現する。メモリは、ＲＡＭ等の揮発性メモリであって、プロセッサによって実行されるプログラムや、プロセッサがプログラムを実行する際にアクセスするデータを格納する。補助記憶装置は、磁気ディスク装置やフラッシュメモリ等の不揮発性記憶装置であり、プロセッサによって実行されるプログラムや、後述する各ＤＢ１６１〜１６７を格納する。通信インターフェースは、ネットワーク４００に接続され、ネットワーク４００上の他の端末と所定のプロトコルで通信する。入出力インターフェースは、キーボード、マウス等の入力装置及びディスプレイ等の出力装置であり、管理者に対するユーザインターフェースを提供する。
【００１７】
アップロード処理部１１０は、広告主側の処理をする処理部であり、その詳細は図２を用いて後述する。ダウンロード処理部１２０は、店舗側の処理をする処理部であり、その詳細は図８を用いて後述する。画像配信部１３０は、配信スケジュールＤＢ１６６に従って、画像ＤＢ１６３に格納された動画像又は静止画像を表示端末３００に送信する。ログ処理部１４０は、画像配信部１３０による画像の送信履歴を管理する。課金処理部１５０は、ログＤＢ１６２に格納された画像の送信履歴に基づいて、広告主及び店舗の課金情報を生成する。
【００１８】
コンテンツ管理サーバ１００は、広告主情報ＤＢ１６１、ログＤＢ１６２、画像ＤＢ１６３、店舗情報ＤＢ１６４、編成ＤＢ１６５、配信スケジュールＤＢ１６６及び課金ＤＢ１６７を備える。前述した各ＤＢ１６１〜１６７は、コンテンツ管理サーバ１００の補助記憶装置に格納される。なお、ＤＢ１６１〜１６７の全部又は一部が、コンテンツ管理サーバ１００に接続された外部記憶装置に格納されてもよい。すなわち、ＤＢ１６１〜１６７は、コンテンツ管理サーバ１００がアクセスでき、コンテンツ管理サーバ１００によって管理される形態であれば、様々な実装形態をとりうる。
【００１９】
広告主情報ＤＢ１６１は、広告の提供者（広告主）の情報が格納されるデータベースであり、その詳細は図４を用いて後述する。ログＤＢ１６２は、画像配信部１３０によって送信された画像の履歴が格納されるデータベースであり、その詳細は図１６を用いて後述する。画像ＤＢ１６３は、表示端末３００に送信される動画像及び静止画像が格納されるデータベースであり、その詳細は図７を用いて後述する。店舗情報ＤＢ１６４は、広告を表示する表示端末３００の設置者（店舗、街頭、駅、空港、ホテル等）の情報が格納されるデータベースであり、その詳細は図１０を用いて後述する。
【００２０】
編成ＤＢ１６５は、表示端末３００に送信される複数の画像を含む画像セットの情報が格納されるデータベースであり、その詳細は図１２を用いて後述する。配信スケジュールＤＢ１６６は、表示端末３００に画像を送信するスケジュールが格納されるデータベースであり、その詳細は図１４を用いて後述する。課金ＤＢ１６７は、表示端末３００に画像を送信すること、すなわち、表示端末３００に広告が配信されることによって発生する金銭の情報が格納されるデータベースであり、その詳細は図１７、図１８を用いて後述する。
【００２１】
コンテンツ管理サーバ１００は、一つの物理的計算機に実装されても、各処理部が複数の物理的又は論理的な計算機に分割されて実装されてもよい。
【００２２】
アップロード端末２００は、広告主が操作する計算機で、プロセッサ、メモリ、通信インターフェース及び入出インターフェースを備える。すなわち、広告主は、アップロード端末２００を操作して、コンテンツ管理サーバ１００にアクセスすることによって、広告である画像（動画像、静止画像）をコンテンツ管理サーバ１００に転送する。
【００２３】
プロセッサは、メモリに格納されたプログラム（特に、ｗｅｂブラウザ）を実行し、コンテンツ管理サーバ１００にアクセスする。メモリは、ＲＡＭ等の揮発性メモリであって、プロセッサによって実行されるプログラムや、プロセッサがプログラムを実行する際にアクセスするデータを格納する。通信インターフェースは、ネットワーク４００に接続され、ネットワーク４００上の他の計算機と所定のプロトコルで通信する。入出力インターフェースは、キーボード、マウス等の入力装置及びディスプレイ等の出力装置であり、広告主側の利用者に対するユーザインターフェースを提供する。
【００２４】
表示端末３００は、店舗、駅などに設置され、広告画像を表示する表示装置で、いわゆる、デジタルサイネージ端末であり、プロセッサ、メモリ、通信インターフェース及び入出インターフェースを備える。
【００２５】
プロセッサは、メモリに格納されたプログラム（特に、画像表示プログラム）を実行し、前述した各種処理を実行する。メモリは、ＲＡＭ等の揮発性メモリ及びフラッシュメモリ等の不揮発性メモリであって、プロセッサによって実行されるプログラムや、プロセッサがプログラムを実行する際にアクセスするデータや、コンテンツ管理サーバ１００から送信された画像データを格納する。通信インターフェースは、ネットワーク４００に接続され、ネットワーク４００上の他の計算機と所定のプロトコルで通信する。入出力インターフェースは、キーボード、マウス等の入力装置及びディスプレイ等の出力装置であり、管理者に対するユーザインターフェースを提供する。
【００２６】
表示端末３００のメモリ内には、表示される画像を一時的に蓄積するバッファ領域が設けられる。さらに、所定時間（例えば、数時間から１日分）の画像を蓄積する画像格納領域を設けてもよい。このように画像格納領域を設けると、コンテンツ管理サーバ１００から表示端末３００にリアルタイムで画像を送信しなくても、例えば、数時間〜１日に１回の頻度で画像を送信すればよい。
【００２７】
なお、表示端末３００は、コンテンツ管理サーバ１００から送信された画像を表示する機能を有すれば、どのような構成の装置でもよく、例えば、ネットワークに接続可能なネットＴＶや、大画面を有する携帯端末でもよい。
【００２８】
なお、本実施形態では、表示端末３００を操作して広告の配信を受けるための処理を行うが、表示端末と、表示端末を制御するための設定をする管理端末を別に設けてもよい。この場合、以下に説明するダウンロード処理部１２０による処理は、管理端末にアクセスされたコンテンツ管理サーバ１００によって実行される。なお、この場合、コンテンツ管理サーバ１００と表示端末３００とが、画像の配信が開始するまでは接続されないので、管理端末が表示端末３００のアドレスを収集し、収集したアドレスを配信先アドレスとして、コンテンツ管理サーバ１００に通知する。
【００２９】
図２は、本実施の形態のアップロード処理部１１０の構成を示すブロック図である。
【００３０】
アップロード処理部１１０は、広告主情報登録部１１１、広告主ＩＤ／ＰＷ発行部１１２、画像データ登録部１１３、画像ＩＤ発行部１１４及び広告登録／配信履歴部１１５を備える。これらの各部１１１〜１１５は、アップロード処理部１１０のサブプログラムである。
【００３１】
広告主情報登録部１１１は、広告主情報ＤＢ１６１を管理する。例えば、新規に登録をされる広告主の情報を受け付け、広告主情報ＤＢ１６１に登録する。広告主ＩＤ／ＰＷ発行部１１２は、新規に登録をされる広告主に発行される広告主ＩＤ及びパスワードを管理する。
【００３２】
画像データ登録部１１３は、広告のために用いられる画像を画像ＤＢ１６３に登録する。画像ＩＤ発行部１１４は、新規に登録される画像に発行される画像ＩＤを管理する。広告登録／配信履歴部１１５は、画像ＤＢ１６３に画像が登録された履歴を管理する。なお、広告登録／配信履歴部１１５は、広告検索／編成部１２３によって生成される編成ＤＢ１６５の更新履歴、及び、配信スケジュール生成部１２４によって生成される配信スケジュールＤＢ１６６の更新履歴を管理してもよい。
【００３３】
図３は、本実施の形態のアップロード処理部１１０によって実行される処理のフローチャートである。
【００３４】
まず、アップロード端末２００からコンテンツ管理サーバ１００へのアクセスがあると、アップロード処理部１１０は、サイネージポータルの広告主ログイン画面の表示データをアップロード端末２００に送信する（１１０１）。広告主ログイン画面には、既登録者のためのＩＤ・パスワード入力欄と、未登録者のための新規登録ボタンが表示される。
【００３５】
広告主側の利用者がアップロード端末２００にＩＤ及びパスワードを入力した場合、アップロード端末２００は、入力されたＩＤ及びパスワードをコンテンツ管理サーバ１００へ送信する。
【００３６】
コンテンツ管理サーバ１００がＩＤ及びパスワードを受信すると、アップロード処理部１１０は、受信したＩＤ及びパスワードを広告主情報ＤＢ１６１に登録されている広告主ＩＤ１６１１及びパスワード１６１８と照合し、ログイン者を認証する（１１０２）。
【００３７】
認証が成功すると、アップロード処理部１１０は、広告主メニュー画面の表示データをアップロード端末２００に送信する（１１０３）。広告主メニュー画面には、広告画像登録ボタン及び広告登録／配信履歴ボタンが表示される。広告主メニュー画面におけるボタンの操作は、アップロード端末２００からコンテンツ管理サーバ１００へ送信される。アップロード処理部１１０は、広告画像登録ボタンの操作を検出すると、広告画像登録画面（図５）の表示データをアップロード端末２００に送信し、画像データ登録部１１３を起動する。
【００３８】
一方、アップロード処理部１１０は、広告登録／配信履歴ボタンの操作を検出すると、広告登録／配信履歴部１１５を起動し、ログインされた広告主ＩＤを用いて画像ＤＢ１６３を検索し、この広告主がアップロードした広告を特定する。その後、特定された広告の画像ＩＤを用いてログＤＢ１６２を検索し、広告（画像）毎の配信履歴を取得し、取得した配信履歴を統計処理して統計情報（例えば、配信回数、配信時刻の傾向）を計算して、統計情報の表示データを生成し、アップロード端末２００に送信する。
【００３９】
アップロード処理部１１０が新規登録ボタンの操作を検出すると、広告主情報登録部１１１が起動され、広告主の新規登録画面の表示データをアップロード端末２００に送信する。
【００４０】
広告主は、アップロード端末２００を操作して、広告主の新規登録画面に企業情報を入力し、コンテンツ管理サーバ１００に送信する（１１０４）。コンテンツ管理サーバ１００の広告主情報登録部１１１は、アップロード端末２００に入力された企業情報を受信すると、広告主情報ＤＢ１６１を照会し、同じ広告主が既に登録されているか否かを判定する。
【００４１】
この後、入力された企業情報に基づいて企業審査をしてもよい。この企業審査は、入力された企業情報が所定の条件を満たすか（例えば、資本金が所定金額以上など）を自動的に審査してもよい。また、入力された企業情報を見て管理者が審査をしてもよい。さらに、外部の企業データベースを参照して企業の信用度を審査をしてもよい。
【００４２】
その結果、同じ広告主が広告主情報ＤＢ１６１に既に登録されていれば、既登録のＩＤの表示データをアップロード端末２００に送信し、広告主ログイン画面に戻って、ログインすることを促す。
【００４３】
一方、この広告主が広告主情報ＤＢ１６１に登録されていなければ、広告主ＩＤ／ＰＷ発行部１１２を起動し、広告主ＩＤ及びパスワードを発行する（１１０５）。このとき、広告主の企業毎ではなく、担当者毎にＩＤを発行してもよい。この場合、広告主ＩＤを企業コード及び担当者コードの組み合わせで構成すると、広告主ＩＤの所定の桁によって広告主の企業を特定できる。
【００４４】
その後、発行された広告主ＩＤ及びパスワード、及び入力された企業情報を広告主情報ＤＢ１６１に登録する（１１０６）。アップロード処理部１１０は、広告主の認証が完了しているので、ステップ１１０２を経由してステップ１１０３に進み、広告主メニュー画面の表示データをアップロード端末２００に送信する。
【００４５】
さらに、広告主ＩＤ／ＰＷ発行部１１２は、郵便、電子メール等によって、発行された広告主ＩＤ及びパスワードを広告主に通知する（１１０７）。この連絡先（住所、電子メールアドレス）は、ステップ１１０４で入力された企業情報から抽出される。
【００４６】
図４は、本実施の形態の広告主情報ＤＢ１６１の構成の一例を説明する図である。
【００４７】
広告主情報ＤＢ１６１は、広告主ＩＤ１６１１、広告主名１６１２、業種／ジャンル１６１３、住所１６１４、電子メールアドレス１６１５、連絡先１６１６、担当者１６１７及びパスワード１６１８を含む。
【００４８】
広告主ＩＤ１６１１は、広告主の企業を一意に識別するための識別子である。なお、前述したように企業及び担当者を識別できる識別子でもよい。広告主名１６１２は、広告主である企業の名称である。業種／ジャンル１６１３は、広告主の企業が製造している製品などの広告主の分類を示す。例えば、楽器製造業、食品製造業などである。
【００４９】
住所１６１４は、広告主の企業の所在地である。電子メールアドレス１６１５は、広告主の企業の窓口となる者の連絡先である。連絡先１６１６は、広告主の企業の電話番号である。担当者１６１７は、広告主の企業の窓口となる者である。パスワード１６１８は、この広告主ＩＤを認証するためのパスワードである。
【００５０】
図５は、本実施の形態の広告画像登録画面の構成の一例を説明する図である。
【００５１】
アップロード処理部１１０は、広告主メニュー画面において広告画像登録ボタンの操作を検出すると、広告画像登録画面の表示データを作成し、画像データ登録部１１３を起動する。
【００５２】
広告画像登録画面には、広告名入力欄、広告画像のファイル名入力欄及び広告の付加情報の入力欄が設けられている。付加情報には、商材名、属性（ジャンル、いつ、どこで、ターゲット層）、配信／再生期限、公開／プライベートの種別、配信用パスワードが含まれる。広告名及び付加情報は、配信される広告を店舗側が選択する場合の検索時に参照される。商材名には、広告する商品の名称が登録される。例えば、北海道ジャガイモ等の商品名や、居酒屋○×等の店舗名である。属性は、広告主が希望する配信先、配信時間等の広告のターゲットに関する情報が登録される。すなわち、属性は、この広告を、いつ、どこで、誰に見せたいという情報である。この属性は、店舗が表示する広告を検索する際に参照されるタグ情報である。
【００５３】
配信／再生期限には、この広告を再生することができる期間の情報が登録される。なお、この配信／再生期限に何も登録されていない場合、この広告は何時でも再生することができる。
【００５４】
公開／プライベートの種別には、この広告を公開するか、非公開にするかの情報が登録される。公開される広告は、いずれの店舗も利用可能である。非公開の広告は、配信用パスワードを知っている店舗のみが利用可能である。例えば、自社の店舗用に広告画像を作成して登録するなどの場合に利用可能である。配信用パスワードは、非公開の広告の配信を受ける場合に使用される。
【００５５】
広告主は、広告画像登録画面に情報を入力した後、登録ボタンを操作する。この登録ボタンの操作は、アップロード端末２００からコンテンツ管理サーバ１００に送信される。
画像データ登録部１１３は、登録ボタンの操作を検出すると、画像ＩＤ発行部１１４を起動し、新規に登録される画像に画像ＩＤを発行する。その後、画像データ登録部１１３は、広告画像登録確認画面（図６）の表示データをアップロード端末２００に送信する。
【００５６】
図６は、本実施の形態の広告画像登録確認画面の構成の一例を説明する図である。
【００５７】
画像データ登録部１１３は、広告画像登録画面（図５）において登録ボタンの操作を検出すると、広告画像登録確認画面の表示データを作成する。
【００５８】
広告画像登録確認画面には、広告名表示領域、画像表示領域、商材名表示領域、属性情報表示領域、配信／再生期限表示領域、及び公開／非公開表示領域が設けられる。
【００５９】
広告名表示領域、商材名表示領域、属性情報表示領域、配信／再生期限表示領域、及び公開／非公開表示領域には、広告画像登録画面（図５）に入力された情報が表示される。
【００６０】
画像表示領域は、動画を表示する画像プレーヤと、アップロードされる動画ファイルの仕様表示領域を含む。仕様表示領域には、アップロードされる動画ファイルの再生時間、フォーマット、容量が表示される。この仕様表示領域に表示される情報は、動画ファイルを解析することによって、動画ファイルから取得した情報である。
【００６１】
広告主は、画像プレーヤによって動画を再生し、アップロードされる動画が正しいかを確認し、さらに、広告画像登録画面（図５）において入力した情報が正しいか確認する。その後、広告主は、広告画像登録確認画面に表示された内容が正しくなければ、修正ボタンを操作する。この修正ボタンの操作は、アップロード端末２００からコンテンツ管理サーバ１００に送信される。画像データ登録部１１３は、修正ボタンの操作を検出すると、再度、広告画像登録画面（図５）を表示して、入力した情報の修正を促す。
【００６２】
一方、広告主は、広告画像登録確認画面に表示された内容が正しければ、登録ボタンを操作する。アップロード端末２００は、登録ボタンの操作を検出すると、入力された情報及びアップロードする画像を含む画像登録要求をコンテンツ管理サーバ１００に送信される。
【００６３】
コンテンツ管理サーバ１００の画像データ登録部１１３は、アップロード端末２００から画像登録要求を受信すると、アップロード端末２００に入力された情報及びアップロードする画像を画像ＤＢ１６３に登録する。
【００６４】
図７は、本実施の形態の画像ＤＢ１６３の構成の一例を説明する図である。
【００６５】
画像ＤＢ１６３は、画像ＩＤ１６３１、広告主名１６３２、広告名１６３３、商材１６３４、属性情報１６３５、配信期限１６３６、公開１６３７、画像データ１６３８及び再生時間１６３９を含む。
【００６６】
画像ＩＤ１６３１は、アップロードされた画像を一意に識別する識別子である。図７に示す例では、画像ＩＤは、広告主ＩＤ及び画像番号によって構成されている。このため、図７に示す例では、画像ＤＢ１６３に広告主ＩＤ欄を設けなくてもよい。なお、画像ＩＤのフォーマットが、画像ＩＤから広告主が分からないものである場合、画像ＩＤの他に広告主ＩＤの項目を画像ＤＢ１６３に設ける。
【００６７】
広告主名１６３２は、この画像をアップロードした広告主の名称であり、広告主ログイン画面に入力されたログイン情報を用いて、広告主情報ＤＢ１６１を参照することによって得ることができる。
【００６８】
広告名１６３３には、広告画像登録画面（図５）の広告名入力欄に入力された名称が登録される。商材１６３４は、この広告画像で紹介される商品、ブランドであり、広告画像登録画面（図５）の付加情報の商材名欄に入力された名称が登録される。属性情報１６３５には、広告画像登録画面（図５）の付加情報の属性入力欄に入力されたデータが登録される。配信期限１６３６には、広告画像登録画面（図５）の配信／再生期限入力欄に入力された期間が登録される。
【００６９】
公開１６３７には、広告画像登録画面（図５）の公開／プライベート入力欄に入力されたデータが登録される。なお、公開／プライベートの種別がプライベートである場合、公開１６３７には配信用パスワードが登録される。画像データ１６３８には、ファイル名入力欄に入力されたファイルの名称が登録される。再生時間１６３９には、画像データの再生時間が登録される。この再生時間は、動画ファイルを解析することによって、動画ファイルから取得することができる。
【００７０】
図８は、本実施の形態のダウンロード処理部１２０の構成を示すブロック図である。
【００７１】
ダウンロード処理部１２０は、画像を送信する条件を設定する処理を実行し、店舗情報登録部１２１、店舗ＩＤ／ＰＷ発行部１２２、広告検索／編成部１２３、配信スケジュール生成部１２４及び広告リコメンド部１２５を備える。これらの各部１２１〜１２５は、ダウンロード処理部１２０のサブプログラムである。
【００７２】
店舗情報登録部１２１は、店舗情報ＤＢ１６４を管理する。例えば、新規に登録をされる店舗の情報を受け付け、店舗情報ＤＢ１６４に登録する。店舗ＩＤ／ＰＷ発行部１２２は、新規に登録をされる店舗に発行される店舗ＩＤ及びパスワードを管理する。
【００７３】
広告検索／編成部１２３は、画像（広告）の編成を受け付け、編成ＤＢ１６５に記録する。配信スケジュール生成部１２４は、編成された画像（広告）の配信スケジュールの設定を受け付け、配信スケジュールＤＢ１６６に記録する。広告推薦部１２５は、画像ＤＢ１６３からお勧め広告を選択し、選択された広告（動画データ）の情報を表示端末３００に送信する。
【００７４】
図９は、本実施の形態のダウンロード処理部１２０によって実行される処理のフローチャートである。
【００７５】
まず、表示端末３００からコンテンツ管理サーバ１００へのアクセスがあると、ダウンロード処理部１２０は、サイネージポータルの店舗ログイン画面の表示データを表示端末３００に送信する（１２０１）。店舗ログイン画面には、既登録者のためのＩＤ・パスワード入力欄と、未登録者のための新規登録ボタンが表示される。
【００７６】
店舗側の利用者が表示端末３００にＩＤ及びパスワードを入力した場合、表示端末３００は入力されたＩＤ及びパスワードをコンテンツ管理サーバ１００に送る。
【００７７】
コンテンツ管理サーバ１００がＩＤ及びパスワードを受信すると、ダウンロード処理部１２０は、受信したＩＤ及びパスワードを店舗情報ＤＢ１６４に登録されている店舗ＩＤ１６４１及びパスワード１６４９と照合し、ログイン者を認証する（１２０２）。
【００７８】
認証が成功すると、ダウンロード処理部１２０は、店舗メニュー画面の表示データを表示端末３００に送信する（１２０３）。店舗メニュー画面には、広告検索／編成ボタン、スケジュールボタン及び広告配信ボタンが表示される。店舗メニュー画面におけるボタンの操作は、表示端末３００からコンテンツ管理サーバ１００へ送信される。
【００７９】
ダウンロード処理部１２０は、広告検索／編成ボタンの操作を検出すると、広告検索／編成画面（図１１）の表示データを表示端末３００に送信し、広告検索／編成部１２３を起動する。また、ダウンロード処理部１２０は、スケジュールボタンの操作を検出すると、広告配信スケジュール画面（図１３）の表示データを表示端末３００に送信し、配信スケジュール生成部１２４を起動する。
【００８０】
また、表示端末３００は、広告配信ボタンの操作を検出すると、コンテンツ管理サーバ１００へ配信要求を送信する。この配信要求には、広告の配信先アドレス（例えば、表示端末３００のＩＰアドレス）が含まれている。コンテンツ管理サーバ１００が配信要求を受信すると、ダウンロード処理部１２０は、配信スケジュールＤＢ１６６（図１４）を参照し、画像ＤＢ１６３から配信する画像を読み出して、表示端末３００のアドレスに、読み出した画像を送信する。
【００８１】
店舗ログイン画面１２０１で新規登録ボタンが操作されると、店舗情報登録部１２１が起動され、店舗の新規登録画面の表示データを表示端末３００に送信する。
【００８２】
店舗側の利用者は、表示端末３００を操作して、店舗の新規登録画面に店舗情報を入力し、コンテンツ管理サーバ１００に送信する（１２０４）。コンテンツ管理サーバ１００の店舗情報登録部１１１は、表示端末３００に入力された企業情報を受信すると、店舗情報ＤＢ１６４を照会し、同じ店舗が既に登録されているか否かを判定する。
【００８３】
このとき、入力された企業情報に基づいて企業審査をしてもよい。この企業審査は、入力された企業情報が所定の条件を満たすか（例えば、資本金が所定金額以上など）を自動的に審査してもよい。また、入力された企業情報を管理者が見て審査してもよく、外部の企業データベースを参照して企業の信用度を審査をしてもよい。さらに、広告主情報ＤＢ１６１を参照して、登録されたデータの一部を引用してもよい。
【００８４】
その結果、同じ店舗が既に店舗情報ＤＢ１６４に登録されていれば、既登録のＩＤの表示データを表示端末３００に送信し、店舗ログイン画面に戻って、ログインすることを促す。
【００８５】
また、同じ企業が既に広告主ＤＢ１６１に登録されていれば、既登録の広告主情報を表示する表示データを表示端末３００に送信し、店舗情報の修正を促す。このようにすると、ある企業が広告主でも、店舗でもある場合、情報の重複した入力を避けることができる。
【００８６】
一方、この店舗が店舗情報ＤＢ１６４に登録されていなければ、店舗ＩＤ／ＰＷ発行部１２２を起動し、店舗ＩＤ及びパスワードを発行する（１２０５）。このとき、店舗毎でなく、端末毎に登録をすることもできる。この場合、店舗ＩＤを店舗コード及び端末コードの組み合わせで構成すると、店舗ＩＤの所定の桁によって店舗が判定でき、他の桁によって端末が特定できる。
【００８７】
その後、発行された店舗ＩＤ及びパスワード、及び入力された企業情報を店舗情報ＤＢ１６４に登録する（１２０６）。ダウンロード処理部１２０は、店舗の認証が完了しているので、ステップ１２０２を経由してステップ１２０３に進み、店舗メニュー画面の表示データを表示端末３００に送信する。
【００８８】
さらに、店舗ＩＤ／ＰＷ発行部１２２は、郵便、電子メール等によって、発行された店舗ＩＤ及びパスワードを店舗に通知する（１２０７）。この連絡先（住所、電子メールアドレス）は、ステップ１２０４で入力された企業情報から抽出される。
【００８９】
図１０は、本実施の形態の店舗情報ＤＢ１６４の構成の一例を説明する図である。
【００９０】
店舗情報ＤＢ１６４は、店舗ＩＤ１６４１、店舗名１６４２、業態／ジャンル１６４３、規模１６４４、住所１６４５、電子メールアドレス１６４６、連絡先１６４７、担当者１６４８及びパスワード１６４９を含む。
【００９１】
店舗ＩＤ１６４１は、表示端末３００の設置者を一意に識別するための識別子である。なお、前述したように店舗（設置者）及び端末を識別できる識別子でもよい。店舗名１６４２は、店舗（設置者）の名称である。業態／ジャンル１６４３は、店舗（設置者）が扱っている商品、店舗が提供しているサービスなどの店舗の分類を示す。例えば、スーパーマーケット、居酒屋などである。規模１６４４は、店舗の大きさを表し、例えば、店舗面積が登録される。住所１６４５は、表示端末３００が設置される店舗等の所在地である。電子メールアドレス１６４６は、店舗等の窓口となる者の連絡先である。連絡先１６４７は、店舗の電話番号である。担当者１６４８は、店舗等の窓口となる者である。パスワード１６４９は、この店舗ＩＤを認証するためのパスワードである。
【００９２】
表示端末３００の設置場所は、商品を販売し、サービスを提供する店舗の他、街頭、駅、空港、ホテル等がある。このような場合、店舗ＩＤ１６４１は設置者の識別子であり、店舗名１６４２は設置者の名称であり、業態／ジャンル１６４３は設置者の属性（例えば、駅、空港、街頭など）である。
【００９３】
図１１は、本実施の形態の広告検索／編成画面の構成の一例を説明する図である。
【００９４】
店舗側の利用者は、この広告検索／編成画面にキーワードを入力し、画像ＤＢ１６３を検索することによって、該当する広告を取得し、取得した広告から、店舗で再生する広告を選択し、選択した広告を並べ替え、編成名を付けて登録する。
【００９５】
広告検索／編成画面は、広告を検索するためのキーワードの入力欄、検索された広告が表示される検索結果表示領域、及び、選択された広告を再生順に並び替える編成領域含む。
【００９６】
店舗の利用者が、再生しようとする広告を検索するために、表示端末３００でキーワードを入力し、検索ボタンを操作する。すると、表示端末３００は、検索要求をコンテンツ管理サーバ１００に送信する。
【００９７】
コンテンツ管理サーバ１００が検索要求を受信すると、広告検索／編成部１２３は、入力されたキーワードを用いて画像ＤＢ１６３（広告主名、広告名、商材、属性）を検索して、キーワードと一致する広告を特定し、特定された広告（画像）の情報を表示端末３００に送信する。また、推薦広告生成部１２５は、お勧め広告を選択し、選択された広告（動画データ）の情報を表示端末３００に送信する。
【００９８】
表示端末３００は、検索された広告（動画データ）の情報を受信すると、検索結果表示領域に受信した広告の情報を表示する。具体的には、画像のサムネイル、広告名、広告主の企業名、商材及び再生時間が広告毎に表示される。
【００９９】
表示端末３００は、画像のサムネイルの操作を検出すると、操作された画像の画像ＩＤを含む画像送信要求をコンテンツ管理サーバ１００に送信する。コンテンツ管理サーバ１００が画像送信要求を受信すると、 広告検索／編成部１２３は、画像送信要求に含まれる画像ＩＤの画像を画像ＤＢ１６３から取得して、表示端末３００に送信する。表示端末３００は、コンテンツ管理サーバ１００から画像を受信すると、動画プレーヤを起動して、受信した画像を再生する。
【０１００】
また、表示端末３００は、検索結果表示領域内のお勧め広告表示領域に、受信したお勧め広告を表示する。このお勧め広告は、ログ処理部１４０がログＤＢ１６２を解析することによって得られる配信ランキングに従って選択される。また、過去にこの店舗が選択した広告（画像）に類似する広告や、関連する広告が選択される。店舗側の利用者は、広告を選択する際に、お勧め広告を参考にすることができる。
【０１０１】
店舗側の利用者は、選択ボタンによって、店舗で再生する広告を検索結果から選択する。選択された広告のサムネイルは、広告検索／編成画面の下部に設けられる編成領域の選択広告一覧に移動する。
【０１０２】
さらに、店舗側の利用者は、選択された広告のサムネイルを編成領域の下欄にドラッグ・アンド・ドロップすることによって、画像の再生順序を定める。表示端末３００は、再生ボタンの操作を検出すると、編成された画像の画像ＩＤを含む画像送信要求をコンテンツ管理サーバ１００に送信し、コンテンツ管理サーバ１００から画像を受信し、動画プレーヤを起動して、受信した画像を連続してを再生する。このように、店舗側の利用者は再生ボタンを操作することによって、編成された広告を連続して再生し、編成された動画像を確認することができる。
【０１０３】
その後、店舗側の利用者は、編成された画像のグループに名前を付け編成名入力欄に入力し、登録ボタンを操作する。表示端末３００は登録ボタンの操作を検出すると、編成登録要求をコンテンツ管理サーバ１００に送信する。この編成登録要求は、入力された編成名、選択・編成された画像の画像ＩＤを含む。
【０１０４】
コンテンツ管理サーバ１００が表示端末３００から編成登録要求を受信すると、広告検索／編成部１２３は、受信した編成登録要求を編成ＤＢ１６５に登録する。
【０１０５】
図１２は、本実施の形態の編成ＤＢ１６５の構成の一例を説明する図である。
【０１０６】
編成ＤＢ１６５は、編成ＩＤ１６５１、編成名１６５２及び画像ＩＤ１〜画像ＩＤｎ（１６５３）を含む。
【０１０７】
編成ＩＤ１６５１は、店舗側の利用者によって編成された画像の組を一意に識別するための識別子である。図１２に示す編成ＩＤは、店舗ＩＤ及び一連番号の組み合わせで構成するとよい。このように編成ＩＤを構成すると、編成ＩＤの所定の桁を見ると店舗が特定できる。なお、編成ＩＤを一連番号によって構成し、店舗ＩＤが記録される欄を別に設けてもよい。
【０１０８】
編成名１６５２は、登録された編成の名称であり、広告検索／編成画面（図１１）の編成名入力欄に入力された名称である。画像ＩＤ１〜画像ＩＤｎ（１６５３）は、この編成に含まれる広告の画像ＩＤである。なお、編成ＤＢ１６５には所定数ｎ個の画像が登録できる。
【０１０９】
図１３は、本実施の形態の広告配信スケジュール画面の構成の一例を説明する図である。
【０１１０】
店舗側の利用者は、この広告配信スケジュール画面を用いて、編成された広告を再生するスケジュールを登録する。
【０１１１】
広告配信スケジュール画面は、カレンダー表示領域、時間帯表示領域、及び、編成一覧表示領域を含む。カレンダー表示領域には、スケジュールを設定する日を選択するためのカレンダーが表示される。時間帯表示領域は、時間帯毎に配信する広告を設定するための表示・入力欄である。図１３に示す広告配信スケジュール画面では、一つの表示・入力欄の時間幅は１時間としたが、３０分又は１５分を一単位としてもよい。また、店舗側の利用者が時間の単位を自由に設定できてもよく、時間帯によって（例えば、昼と夜とで）時間の単位が異なってもよい。編成一覧表示領域には、選択可能な編成の一覧が表示される。
【０１１２】
店舗メニュー画面でスケジュールボタンの操作が検出されると、配信スケジュール生成部１２４が起動して、広告配信スケジュール画面が表示される。このとき、配信スケジュール生成部１２４は、店舗ＩＤを用いて編成ＤＢ１６５を検索し、当該店舗で選択可能な編成（編成ＩＤ、編成名）を取得し、編成一覧表示領域に表示する。
【０１１３】
店舗側の利用者は、カレンダー表示領域からスケジュールを設定する日を選択する。表示端末３００は、設定日の選択を検出すると、配信スケジュール取得要求をコンテンツ管理サーバ１００に送信する。
【０１１４】
コンテンツ管理サーバ１００が配信スケジュール取得要求を受信すると、配信スケジュール生成部１２４は、店舗ＩＤ及び年月日を用いて配信スケジュールＤＢ１６６を検索し、当該店舗で選択された日に画像が配信されるスケジュール（編成ＩＤ）を取得し、取得したスケジュールを表示端末３００に送信する。
【０１１５】
表示端末３００は、スケジュールを受信すると、受信したスケジュール（編成ＩＤ）を時間帯表示領域に表示する。なお、選択された日の配信スケジュールが登録されていない場合、時間帯表示領域には時間帯を示す入力欄のみが表示される。
【０１１６】
店舗側の利用者は、広告の配信を受ける時間帯を選択し、編成一覧に表示された編成を選択することによって、当該時間帯の欄に選択された編成の番号が表示される。なお、編成一覧に表示された編成をドラッグし、配信を受けたい時間帯の欄にドロップすることによって、編成を選択してもよい。店舗側の利用者は、時間帯毎に配信を受ける広告の選択が完了した後、登録ボタンを操作する。
【０１１７】
表示端末３００は、登録ボタンの操作を受け付けると、メモリ書き込まれた選択結果を読み出して、読み出された選択結果を含むスケジュール登録要求をコンテンツ管理サーバ１００に送信する。
【０１１８】
コンテンツ管理サーバ１００がスケジュール登録要求を受信すると、配信スケジュール生成部１２４は、受信したスケジュール登録要求に含まれる編成の選択結果を配信スケジュールＤＢ１６６に登録する。このとき、登録する時間帯において選択された編成の編成ＩＤを用いて編成ＤＢ１６５を検索し、この編成ＩＤの編成に含まれる画像を特定する。そして、特定された画像の画像ＩＤを、配信スケジュールＤＢ１６６に登録する。
【０１１９】
図１４は、本実施の形態の配信スケジュールＤＢ１６６の構成の一例を説明する図である。
【０１２０】
配信スケジュールＤＢ１６６は、店舗ＩＤ１６６１、配信先アドレス１６６２、年月日１６６３、時間１６６４、編成ＩＤ１６６５及び画像ＩＤ１〜画像ＩＤｍ（１６６６）を含む。
【０１２１】
店舗ＩＤ１６６１は、この配信スケジュールを登録する際のログインに使用された店舗ＩＤである。配信先アドレス１６６２は、このスケジュールで広告が配信される宛先であり、例えば、表示端末３００のＩＰアドレスを用いることができる。年月日１６６３、時間１６６４は、この配信スケジュールが適用される期間である。編成ＩＤ１６６５は、このスケジュールによって配信される画像が含まれる編成の識別子である。画像ＩＤ１〜画像ＩＤｍ（１６６６）は、このスケジュールによって配信される広告の画像ＩＤである。なお、配信スケジュールＤＢ１６６には所定数ｍ個の画像が登録できる。
【０１２２】
図１５は、本実施の形態の画像配信部１３０によって実行される処理のフローチャートである。
【０１２３】
まず、表示端末３００からコンテンツ管理サーバ１００へのアクセスがあると、ダウンロード処理部１２０は、サイネージポータルの店舗ログイン画面の表示データを表示端末３００に送信する（１２０１）。店舗ログイン画面には、既登録者のためのＩＤ・パスワード入力欄と、未登録者のための新規登録ボタンが表示される。
【０１２４】
店舗がＩＤ及びパスワードを入力した場合、ダウンロード処理部１２０は、入力されたＩＤ及びパスワードを店舗情報ＤＢ１６４に登録されているＩＤ及びパスワードと照合し、ログイン者を認証する（１２０２）。
【０１２５】
認証が成功すると、ダウンロード処理部１２０は、店舗メニュー画面の表示データを表示端末３００に送信する（１２０３）。店舗メニュー画面には、広告検索／編成ボタン、スケジュールボタン及び広告配信ボタンが表示される。
【０１２６】
表示端末３００は、広告配信ボタンの操作を検出すると、コンテンツ管理サーバ１００へ配信要求を送信する。この配信要求には、広告の配信先（例えば、表示端末３００のＩＰアドレス）が含まれている（１３０１）。このように、配信要求に配信先アドレスを含めることによって、表示端末３００のアドレスが動的に割り当てられる場合でも、画像配信部１３０が、正しい配信先アドレスを取得することができる。
【０１２７】
コンテンツ管理サーバ１００は、配信要求を受信すると、画像配信部１３０を起動する。画像配信部１３０は、ログイン時に使用された店舗ＩＤ及び現在時刻を用いて配信スケジュールＤＢ１６６を検索し、該当する配信スケジュールの配信先アドレス１６６２に受信した配信先アドレスを登録し、該当する配信スケジュールを取得する（１３０２）。
【０１２８】
その後、画像配信部１３０は、取得した画像配信スケジュールに従って、画像ＤＢ１６３から画像を読み出し、読み出した画像を表示端末３００に送信する（１３０３）。このとき、画像配信部１３０は、画像データの送信履歴をログＤＢ１６２に格納する。
【０１２９】
なお、前述したように、画像配信スケジュールに従って画像を表示端末３００に送信してもよいが、画像配信部１３０は、表示端末３００に画像配信スケジュール及び画像を送信し、表示端末３００は、受信した画像配信スケジュールに従って、受信した画像を再生してもよい。この場合、表示端末３００は、画像を再生したログを取得し、取得したログをコンテンツ管理サーバ１００へ送信する。コンテンツ管理サーバ１００のログ処理部１４０は、表示端末３００が取得したログをログＤＢ１６２に記録する。
【０１３０】
また、ログ処理部１４０は、ログＤＢ１６２、広告主情報ＤＢ１６１、画像ＤＢ１６３、店舗情報ＤＢ１６４等を参照して、統計処理をすることによって、広告主へ提供される配信履歴の統計情報や、店舗へ提供されるお勧め広告を生成する。このお勧め広告を生成については後述する。
【０１３１】
なお、画像配信部１３０は、現在時刻が含まれる時間帯の配信スケジュールが終了し、次の時間帯の配信スケジュールに配信先アドレスが登録されていない場合、直前の配信スケジュールの配信先アドレス１６６２を、次の時間帯の配信スケジュールの配信先アドレス１６６２にコピーする。これによって、配信要求時に一度だけ配信先アドレスを取得すれば、継続して広告（画像）を配信することができる。
【０１３２】
図１６は、本実施の形態のログＤＢ１６２の構成の一例を説明する図である。
【０１３３】
ログＤＢ１６２は、店舗ＩＤ１６２１、画像ＩＤ１６２２、配信日１６２３及び配信時間１６２４を含む。
【０１３４】
店舗ＩＤ１６２１は、画像（広告）が配信された表示端末３００が設置された店舗の識別子であり、配信スケジュールＤＢ１６６の店舗ＩＤ１６６１から取得することができる。画像ＩＤ１６２２は、表示端末３００に配信された画像（広告）の識別子であり、配信スケジュールＤＢ１６６の画像ＩＤ１６６６から取得することができる。配信日１６２３、配信時間１６２４には、この画像が配信された日時が記録される。
【０１３５】
ログ処理部１４０は、ログＤＢ１６２、広告主情報ＤＢ１６１、画像ＤＢ１６３、店舗情報ＤＢ１６４等を参照することによって、統計処理を行う。例えば、ログ処理部１４０は、下記の方法を用いて画像の共起関係を解析し、画像が所定の時間内に共に再生される（共起する）頻度に基づいて、画像間の関係性を定めることができる。
【０１３６】
１．共起編成数
ログ処理部１４０は、編成ＤＢ１６５を参照して、一つの編成内に含まれる二つの画像の組を特定する。その後、全画像数と同数の行及び列を有する２次元の零行列（画像関係行列）を生成し、生成された画像関係行列のうち、特定された画像の組に対応する要素に１を加算し、画像が共起する頻度を画像関係行列に設定する。すなわち、ある編成に、画像Ａ、画像Ｂ及び画像Ｃが含まれる場合、画像Ａ及び画像Ｂの組、画像Ｂ及び画像Ｃの組、画像Ｃ及び画像Ａの組に対応する要素に１が加算される。また、画像Ａと画像Ｂとが含まれる編成が五つある場合、画像Ａ及び画像Ｂの組に対応する要素に５が加算される。本実施の形態のコンテンツ配信システムでは、画像は編成毎に再生されるので、編成内に含まれる画像は編成の時間内に共に再生される。このため、この処理によって、所定時間内に画像が共起する編成の数を算出することができ、頻繁に組にして使用される画像を見付けることができる。
【０１３７】
２．共起回数
前述した共起編成数の解析において、ログ処理部１４０は、当該共起する画像が含まれる編成毎に１を加算するのではなく、当該編成内の当該画像の登場回数（二つの画像の登場回数が異なる場合は、登場回数の小さい方）を加算してもよい。この処理によって、編成内で画像が共起する回数を算出することができ、組にして頻繁に使用される画像を見付けることができる。
【０１３８】
３．共起再生回数（１）
ログ処理部１４０は、ログＤＢ１６２を参照して、ある画像から所定の時間内（例えば、１分以内）に再生された画像を特定する。その後、全画像数と同数の行及び列を有する２次元の零行列（画像関係行列）を生成し、生成された画像関係行列のうち、特定された画像の組に対応する要素に１を加算し、画像が共起する頻度を画像関係行列に設定する。すなわち、画像Ａ、画像Ｂ、画像Ｃが１分以内に再生される場合、画像Ａ及び画像Ｂの組、画像Ｂ及び画像Ｃの組、画像Ｃ及び画像Ａの組が共に再生される画像の組であり、これらの画像の組に対応する各要素に１が加算される。この処理によって、画像が共に再生される回数を算出することができ、近い時間に頻繁に再生される画像を見付けることができる。
【０１３９】
４．共起再生回数（２）
前述した共起再生回数の算出において、編成の切替時に、異なる編成内の画像が共起していると判定される場合がある。このため、編成内に含まれる画像について共に再生される回数を計数することが望ましい場合もある。
【０１４０】
具体的には、ログ処理部１４０は、編成ＤＢ１６５を参照して、一つの編成内に含まれる二つの画像の組を特定する。さらに、ログ処理部１４０は、ログＤＢ１６２を参照して、特定された組に含まれる画像が所定の時間内に再生されたか（例えば、一つの編成内に含まれる画像が１分以内に再生されたか）によって、特定された組に含まれる画像が共に再生されるかを解析する。 そして、共に再生された画像の組に対応する要素に１を加算し、画像が共に再生される頻度を画像関係行列に設定する。この処理によって、編成内に含まれる画像が共起する回数を算出することができ、組にして頻繁に使用される画像が共に再生される頻度を計算することができる。
【０１４１】
なお、以上の方法は画像の共起関係を解析する方法の一例であり、他の方法によって解析してもよい。例えば、編成ＤＢ１６５を用いる方法１、２と、ログＤＢ１６２を用いる方法３とを混合して使用することもできる。例えば、方法１又は２によって計算された画像間の関係と、方法３によって計算された画像間の関係とを、それぞれ、所定の重み付けをして加算することによって、店舗側の利用者が編成内に組み込んだ回数と、実際に再生された回数との両方を考慮して、画像が共起する関係を解析することができる。
【０１４２】
また、ログＤＢ１６２及び編成ＤＢ１６５に加え、配信スケジュールＤＢ１６６を参照して、画像が配信された回数を算出してもよい。すなわち、配信スケジュールＤＢ１６６に従った画像の配信がログＤＢ１６２に記録されている場合に、画像が再生されたと判定し、画像の共起関係を定める。
【０１４３】
このように、画像が共起する関係を解析することによって、複数の広告主が共同して広告をする（いわゆる、コラボレーション）の企画を広告主に提案することができる。また、店舗側には、新たな広告の組を提案することができる。
【０１４４】
さらに、推薦広告生成部１２５は、店舗情報ＤＢ１６４に登録された店舗の属性情報（取扱商品、業態、立地、規模など）に基づいて、画像ＤＢ１６３からお勧め広告を選択し、選択された広告（画像）の情報を表示端末３００に送信する。
【０１４５】
例えば、推薦広告生成部１２５は、ログイン時に使用された店舗ＩＤを用いて店舗情報ＤＢ１６４を検索し、属性情報（業態／ジャンル１６４３、住所１６４５、規模１６４４）が類似している店舗の店舗ＩＤを特定する。そして、当該特定された店舗ＩＤを用いて編成ＤＢ１６５の編成ＤＢ１６５１を検索し、一致する編成に含まれる画像をお勧め広告として、広告検索／編成画面（図１１）に表示する。このとき、ログＤＢ１６２を参照して、再生回数が多い画像を上位に表示してもよい。また、編成ＤＢ１６５を参照して、編成に組み込まれた回数が多い画像を上位に表示してもよい。
【０１４６】
また、広告検索／編成画面（図１１）において一つの画像が選択された後、推薦広告生成部１２５は、選択された画像と共起する画像をお勧め広告として、広告検索／編成画面（図１１）に表示する。この共起する画像の特定は、ログ処理部１４０が画像間の関係性を定めるために用いる方法と同じ方法を持ちいることができる。このとき、ログＤＢ１６２、編成ＤＢ１６５を参照して、画像の表示順序を変更してもよい。
【０１４７】
図１７は、本実施の形態の課金ＤＢ１６７の構成の一例を説明する図である。
【０１４８】
図１７に示す課金ＤＢ１６７は、課金処理部１５０がログＤＢ１６２を参照することによって生成され、広告主が負担する金銭を表す課金テーブル１であり、具体的には、画像ＩＤ１６７１、広告主ＩＤ１６７２、再生回数１６７３、単価１６７４、広告料１６７５及び上限１６７６を含む。
【０１４９】
画像ＩＤ１６７１は、この課金情報を生じさせる画像の識別子である。広告主ＩＤ１６７２は、この画像を提供する広告主の識別子である。再生回数１６７３は、この画像が再生された回数である。単価１６７４は、この画像が１回再生されることによって広告主が負担する金額であり、画像がアップロードされるときに設定されるとよい。なお、単価１６７４に０が設定されている場合、この画像の再生によって広告主による広告料の負担は発生しない。
【０１５０】
広告料１６７５は、この画像の再生に対して広告主が負担する金額であり、再生回数１６７３と単価１６７４との積によって計算される。上限１６７６は、広告主が負担する金額の上限である。なお、上限１６７６を金額ではなく、再生回数によって規定してもよい。また、上限に０が設定されている場合、広告主が負担する金額の上限が設定されていないことを示す。このように上限１６７６を定めることによって、広告主が多額な広告料を負担することを防止できる。
【０１５１】
課金処理部１５０は、図１７に示す課金テーブル１を作成するために以下の処理を行う。この処理はリアルタイムで処理をしても、所定のタイミングで（例えば、バッチ処理で）実行してもよい。
【０１５２】
具体的には、課金処理部１５０は、画像ＩＤを用いてログＤＢ１６２を検索し、当該画像が再生された回数を集計し、課金テーブル１の再生回数１６７３に書き込む。そして、書き込まれた再生回数１６７３に単価１６７４を乗じて広告料１６７５を算出する。このとき、再生回数１６７３又は広告料１６７５と上限１６７６とを比較し、再生回数１６７３又は広告料１６７５が上限１６７６を超えている場合、再生回数１６７３は加算されるが、広告料１６７５は更新されない。
【０１５３】
本実施の形態では、コンテンツ管理サーバ１００が、画像再生のログを蓄積する。そして、ログＤＢ１６２を参照することによって、広告主が負担すべき広告料を確実に計算することができる。また、画像の再生回数、すなわち広告効果に応じた広告料を計算するので、広告効果に応じた、広告主が納得しやすい広告料を算出することができる。
【０１５４】
図１８は、本実施の形態の課金ＤＢ１６７の他の例を説明する図である。
【０１５５】
図１８に示す課金ＤＢ１６７は、課金処理部１５０がログＤＢ１６２を参照することによって生成され、店舗に支払われる金銭を表す課金テーブル２であり、画像ＩＤ１６８１、店舗ＩＤ１６８２、再生回数１６８３、単価１６８４及び広告料１６８５を含む。
【０１５６】
画像ＩＤ１６８１は、この課金情報を生じさせる画像の識別子である。店舗ＩＤ１６８２は、この画像を再生した表示端末３００が設置された店舗の識別子である。再生回数１６８３は、この画像がこの店舗で再生された回数である。単価１６８４は、この画像が１回再生されることによって店舗に支払われる金額であり、図１７に示す課金テーブル１の単価１６７４と同じ値が設定され、画像がアップロードされるときに設定されるとよい。なお、単価１６８４に０が設定されている場合、この広告の配信によって店舗へ支払われる広告料は発生しない。広告料１６８５は、この画像の再生に対して店舗に支払われる金額であり、再生回数１６８３と単価１６８４との積によって計算される。
【０１５７】
課金処理部１５０は、図１８に示す課金テーブル２を作成するために以下の処理を行う。この処理はリアルタイムで処理をしても、所定のタイミングで（例えば、バッチ処理で）実行してもよい。
【０１５８】
具体的には、課金処理部１５０は、画像ＩＤを用いてログＤＢ１６２を検索し、当該画像が再生された回数を集計し、課金テーブル２の再生回数１６８３に書き込む。そして、書き込まれた再生回数１６８３に単価１６８４を乗じて広告料１６８５を算出する。なお、課金テーブル２の再生回数１６８３への加算とは、課金テーブル１（図１７）の再生回数１６７３への加算と同時に実行される。このとき、課金テーブル１（図１７）の再生回数１６７３又は広告料１６７５が上限１６７６を超えている場合、再生回数１６８３は加算されるが、広告料１６８５は更新されない。
【０１５９】
本実施の形態では、コンテンツ管理サーバ１００が、画像再生のログを蓄積する。そして、ログＤＢ１６２を参照することによって、店舗側に支払われる広告料を確実に計算することができる。また、店舗毎の画像の再生回数が分かり、広告主が広告が再生される傾向をマーケッティング資料として活用することができる。
【０１６０】
以上説明したように、本発明の実施の形態によると、広告主が提供した広告を店舗側で選択し、編成し、配信スケジュールを決定し、このスケジュールに従って広告が配信される。これによって、店舗で取り扱う商品や客層に適する広告を再生することができ、店舗における広告効果が増大し、売上げ増及び顧客満足度の向上を図ることができる。
【０１６１】
また、広告主にとっても、画像の再生による広告効果だけではなく、店舗における他の広告と組み合わせによる相乗効果も期待できる。
【０１６２】
また、画像を組み合わせた編成が生成され、編成ＤＢ１６５に記録されるので、店舗が好む広告の組み合わせを知ることができ、広告選択のための情報を店舗に提供することができる。また、広告の組み合わせをマーケティング情報として広告主へ提供したり、新しいコラボレーションの企画を提案することもできる。
【０１６３】
さらに、各画像の再生回数及び再生時刻が配信履歴（ログＤＢ１６２）に記録されるので、ログＤＢ１６２を参照することによって、広告の再生場所及び時刻をマーケティング情報として広告主へ提供したり、新しいコラボレーションの企画を提案することもできる。
【０１６４】
さらに、登録された将来の配信スケジュール及び編成の情報等を分析することによって、広告主及び店舗の将来の広告・販売計画を知ることができる。
【符号の説明】
【０１６５】
１００  コンテンツ管理サーバ
２００  アップロード端末
３００  表示端末
４００  ネットワーク
【図１】
0005148661.tif 000002
【図２】
0005148661.tif 000003
【図３】
0005148661.tif 000004
【図４】
0005148661.tif 000005
【図５】
0005148661.tif 000006
【図７】
0005148661.tif 000007
【図８】
0005148661.tif 000008
【図９】
0005148661.tif 000009
【図１０】
0005148661.tif 000010
【図１２】
0005148661.tif 000011
【図１３】
0005148661.tif 000012
【図１４】
0005148661.tif 000013
【図１５】
0005148661.tif 000014
【図１６】
0005148661.tif 000015
【図１７】
0005148661.tif 000016
【図１８】
0005148661.tif 000017
【図６】
0005148661.tif 000018
【図１１】
0005148661.tif 000019